(57)【特許請求の範囲】
【請求項１】
硬貨・紙幣・プリペイドカードなど（以下、貨幣等と云う）の識別・返却・受取手段、遊技媒体の払出手段などを備えて設置され、貨幣等を受け取ることにより遊技機で使用するパチンコ玉などの遊技媒体を貸し出す遊技媒体の貸出装置において、
提示された貨幣等が適正と認められたときに売上金額などを集計演算する集計演算手段と、
この集計演算手段が集計演算した結果を停電などによる電源遮断時にも保持する記憶保持手段と、
この記憶保持手段を有効化するための充電式補助電源と、
この充電式補助電源の電圧を電源投入時に読み取り、
その読み取った電圧が前記記憶保持手段の安定した動作に必要な最低電圧以上であり、且つ、前記最低電圧よりも高い値に予め設定されている比較電圧より低いときには、前記記憶保持手段に設けられている当日売上集計金額データの記憶領域および当日メタル払出枚数データの記憶領域に記憶されている記憶情報を、前記記憶保持手段に設けられている前日売上集計金額データの記憶領域および前日メタル払出枚数データの記憶領域に移した後、当該当日売上集計金額データの記憶領域および当該当日メタル払出枚数データの記憶領域に記憶されている記憶情報のみを消去し、
前記読み取った電圧が前記最低電圧よりも低いときには、前記当日売上集計金額データの記憶領域、前記当日メタル払出枚数データの記憶領域、前記前日売上集計金額データの記憶領域、前記前日メタル払出枚数データの記憶領域、故障履歴データの記憶領域、の各記憶領域に記憶されている記憶情報を含む、前記記憶保持手段が記憶している全ての記憶情報を消去する制御手段と、を備えたことを特徴とする遊技媒体の貸出装置。
【請求項２】
第１の電源遮断時間と、当該第１の電源遮断時間よりも長い第２の電源遮断時間のいずれかを選択して設定する手段を備え、
前記制御手段は、
電源投入時に前記第１の電源遮断時間が設定されているときには、前記読み取った電圧と前記比較電圧との比較判定、および、前記読み取った電圧と前記最低電圧との比較判定に基づき、前記当日売上集計金額データの記憶領域および前記当日メタル払出枚数データの記憶領域に記憶されている記憶情報のみを消去するか、前記全ての記憶情報を消去するか、もしくは前記全ての記憶情報を保持させるかを決定し、
電源投入時に前記第２の電源遮断時間が設定されているときには、前記読み取った電圧と前記最低電圧との比較判定のみに基づき、前記全ての記憶情報を消去するか否かを決定することを特徴とする請求項１記載の遊技媒体の貸出装置。
【請求項３】
前記制御手段は、
電源投入時に前記第１の電源遮断時間が設定されており、且つ、電源投入時に読み取った前記充電式補助電源の電圧が、前記最低電圧以上前記比較電圧未満であるときには、
前記当日売上集計金額データの記憶領域および前記当日メタル払出枚数データの記憶領域に記憶されているデータを前記前日売上金額データの記憶領域および前記前日メタル払出枚数データの記憶領域に移した後、前記当日売上集計金額データの記憶領域および前記当日メタル払出枚数データの記憶領域をクリアすることを特徴とする請求項２記載の遊技媒体の貸出装置。
【請求項４】
電源投入時は充電禁止状態で充電式補助電源の電圧を読み取り、読み取り終了後に充電を開始させる充電制御手段を備えることを特徴とする請求項１〜３何れかに記載の遊技媒体の貸出装置。
【請求項５】
充電式補助電源の電圧がＡ／Ｄ変換して読み取られ、予め設定した定めた値と比較されて電圧比較が行われることを特徴とする請求項１〜４何れかに記載の遊技媒体の貸出装置。
【発明の詳細な説明】
【０００１】
【発明の属する技術分野】
本発明は、パチンコ遊技機やパチスロ遊技機などの遊技機の間に設置されて、パチンコ玉やメタルなどの遊技媒体を貸し出す装置に関する。
【０００２】
【従来の技術】
この種の装置における売上金額は、遊技媒体貸出装置自身と、遊技ホールに設置された機器全体を制御するホールコンピュータの両方で集計記録されるようになっている。そして、遊技媒体貸出装置における集計データの消去は、閉店時に１台毎に消去する操作が煩雑で時間を要するため、閉店から翌朝の開店までの電源遮断によって自動的に、且つ、確実に消去される必要がある。
【０００３】
しかし、一時的な停電などの電源遮断で遊技媒体貸出装置のデータが消去されると、ホールコンピュータのデータと照合して故障や不正などをチェックすることができなくなるので、一時的な停電などでは遊技媒体貸出装置のデータは消去されないように構成される必要がある。
【０００４】
このため、図示しないＲＯＭ・ＲＡＭ・ＭＰＵなどを内蔵したシングルチップマイコン１１などにより構成される図８に示す従来装置の制御器１０においては、紙幣が投入される度に売上金額のデータをＲＡＭに加算集計するためのプログラムが、ＲＯＭに予め格納されている。
【０００５】
また、シングルチップマイコン１１のＶＣＣ端子１２に接続され、通電中に充電されてバックアップ用の補助電源として機能するコンデンサ１５により、電源遮断時にも売上金額のデータがＲＡＭ上に保持される仕組みになっている。
【０００６】
電源遮断中はＶＣＣ端子１２の消費電流により、コンデンサ１５は徐々に放電し、ＶＣＣ電圧が徐々に低下する。そして、例えば図９に示したように、シングルチップマイコン１１のＶＣＣ端子電圧が閉店後の電源遮断により、ＲＡＭデータが化けて保持できなくなる電圧より下がるようにコンデンサ１５の容量と、放電抵抗１６の抵抗値が選択されている。
【０００７】
【発明が解決しようとする課題】
しかし、ＲＡＭのデータが化けて保持できなくなる電圧には、個体間、温度差などによりバラツキがあるため、通常の停電やメンテナンスのための電源遮断では記憶したままで、閉店から翌朝の開店までの電源遮断では必ずＲＡＭのデータが消去されるようにすることは実際には難しい。
【０００８】
また、データが化ける電圧付近ではＲＡＭの一部のデータだけが化けると云う現象も起きるため、その頃に電源が投入されるとメモリーチェック（ＲＡＭデータが正常に保持されているかどうかの確認）の信頼性が非常に低くなる。また、記憶保持データは全て無効になるため、故障履歴データなどの長期に保持したいデータをＲＡＭの中に配置できないと云った問題点もある。
【０００９】
したがって、停電やメンテナンスなどを行うときの一時的な電源遮断ではデータが消去されず、閉店から翌朝の開店までの電源遮断時には確実にデータが消去できるようにして、売上金額などの管理が容易にできるようにする必要があり、これが解決すべき従来技術の課題であった。
【００１０】
【課題を解決するための手段】
上記従来技術の課題を解決するために、硬貨・紙幣・プリペイドカードなど（以下、貨幣等と云う）の識別・返却・受取手段、遊技媒体の払出手段などを備えて設置され、貨幣等を受け取ることにより遊技機で使用するパチンコ玉などの遊技媒体を貸し出す遊技媒体の貸出装置において、
提示された貨幣等が適正と認められたときに売上金額などを集計演算する集計演算手段と、
この集計演算手段が集計演算した結果を停電などによる電源遮断時にも保持する記憶保持手段と、
この記憶保持手段を有効化するための充電式補助電源と、
この充電式補助電源の電圧を電源投入時に読み取り、
その読み取った電圧が前記記憶保持手段の安定した動作に必要な最低電圧以上であり、且つ、前記最低電圧よりも高い値に予め設定されている比較電圧より低いときには、前記記憶保持手段に設けられている当日売上集計金額データの記憶領域および当日メタル払出枚数データの記憶領域に記憶されている記憶情報を、前記記憶保持手段に設けられている前日売上集計金額データの記憶領域および前日メタル払出枚数データの記憶領域に移した後、当該当日売上集計金額データの記憶領域および当該当日メタル払出枚数データの記憶領域に記憶されている記憶情報のみを消去し、
前記読み取った電圧が前記最低電圧よりも低いときには、前記当日売上集計金額データの記憶領域、前記当日メタル払出枚数データの記憶領域、前記前日売上集計金額データの記憶領域、前記前日メタル払出枚数データの記憶領域、故障履歴データの記憶領域、の各記憶領域に記憶されている記憶情報を含む、前記記憶保持手段が記憶している全ての記憶情報を消去する制御手段と、を備えるようにした第１の構成の遊技媒体貸出装置と、
【００１１】
前記第１の構成の遊技媒体貸出装置において、第１の電源遮断時間と、当該第１の電源遮断時間よりも長い第２の電源遮断時間のいずれかを選択して設定する手段を備え、前記制御手段は、電源投入時に前記第１の電源遮断時間が設定されているときには、前記読み取った電圧と前記比較電圧との比較判定、および、前記読み取った電圧と前記最低電圧との比較判定に基づき、前記当日売上集計金額データの記憶領域および前記当日メタル払出枚数データの記憶領域に記憶されている記憶情報のみを消去するか、前記全ての記憶情報を消去するか、もしくは前記全ての記憶情報を保持させるかを決定し、電源投入時に前記第２の電源遮断時間が設定されているときには、前記読み取った電圧と前記最低電圧との比較判定のみに基づき、前記全ての記憶情報を消去するか否かを決定するようにした第２の構成の遊技媒体貸出装置と、
【００１２】
前記第２の構成の遊技媒体貸出装置において、前記制御手段は、電源投入時に前記第１の電源遮断時間が設定されており、且つ、電源投入時に読み取った前記充電式補助電源の電圧が、前記最低電圧以上前記比較電圧未満であるときには、前記当日売上集計金額データの記憶領域および前記当日メタル払出枚数データの記憶領域に記憶されているデータを前記前日売上金額データの記憶領域および前記前日メタル払出枚数データの記憶領域に移した後、前記当日売上集計金額データの記憶領域および前記当日メタル払出枚数データの記憶領域をクリアするようにした第３の構成の遊技媒体貸出装置と、
【００１３】
前記第１〜第３何れかの構成の遊技媒体貸出装置において、電源投入時は充電禁止状態で充電式補助電源の電圧を読み取り、読み取り終了後に充電を開始させる充電制御手段を備えるようにした第４の構成の遊技媒体貸出装置と、
【００１４】
前記第１〜４何れかの構成の遊技媒体貸出装置において、充電式補助電源の電圧がＡ／Ｄ変換して読み取られ、予め設定した定めた値と比較されて電圧比較するようにした第５の構成の遊技媒体貸出装置と、
を提供するものである。
【００１５】
【発明の実施の形態】
以下、本発明の一実施形態を、パチスロ遊技機で使用するメタルを１０００円札による支払いで所定の枚数、例えば５０枚貸し出すメタル貸出装置を例に挙げて、図１〜図７に基づいて説明する。なお、理解を容易にするため、これらの図面においても前記図８で示した部分と同一の部分には同じ符号を付した。
【００１６】
図７示した本発明のメタル貸出装置１００は、前面部に紙幣受取口３１・メタル払出口３２などを備え、その内部には制御器１０・紙幣受取手段３３・金庫３４・メタル払出機３５・表示器３６などを備えている。
【００１７】
メタル貸出装置１００の電気的構成を図１に示す。マイコンなどから構成される制御器１０には、紙幣受取口３１に差し込まれた紙幣を識別し、偽札であればそのまま返却し、正常な１０００円札であればこれを金庫３４に取り込むと共に、制御器１０に１０００円の売上情報を送信する紙幣受取手段３３と、制御器１０からの指令に基づいてメタル払出口３２にメタルを払い出し、そのメタルが確実に払い出されたことをセンサーによって検知し、計数パルス信号などで制御器１０に払出枚数を出力するメタル払出機３５と、表示器３６と、当日売上集計データを表示器３６に表示させるときに操作する売上表示スイッチ３７と、当日の売上集計データを消去するための消去スイッチ３８と、当日売上集計データを電源遮断の約４時間後に消去するのか、約２４時間後に消去するのかを切り替えるためのバックアップ時間切替スイッチ３９と、が接続されている。
【００１８】
制御器１０は、例えば図２に示したように構成されており、予めメタル貸出装置としての所要の制御プログラムが格納されたＲＯＭ、一時記憶手段としてのＲＡＭ、演算手段としてのＭＰＵ（何れも図示せず）などからなるシングルチップマイコン１１と、電源遮断時にシングルチップマイコン１１に電力を供給してＲＡＭのデータを記憶させておくためバックアップ用のコンデンサ１５と、シングルチップマイコン１１からの充電制御出力に応じてコンデンサ１５への充電を行うためのトランジスタ１７などから構成されている。また、コンデンサ１５の正極は、シングルチップマイコン１１のＡ／Ｄ変換入力端子１３に接続されている。
【００１９】
そして、制御器１０においては電源が遮断された後のシングルチップマイコン１１のＶＣＣ端子１２の電圧が、例えば図3に示したように２４時間後においてもＲＡＭのデータ保持最低電圧より高くなるようにコンデンサ１５の容量などが決定されている。また、２４時間経過時点のＶＣＣ端子１２の電圧のＡ／Ｄ変換値が例えば７１ポイント、４時間経過時点のそれが例えば２０７ポイントとなるように回路設計されている。
【００２０】
シングルチップマイコン１１のＲＡＭには、図４に示した当日売上金額データ、当日メタル払出枚数データ、前日売上金額データ、前日メタル払出枚数データ、故障履歴データ（１）、故障履歴データ（２）、・・・・・・・・などのデータが自動的に記憶保持される。
【００２１】
通電中における制御器１０による制御の一例を図５に基づいて説明する。制御器１０は、紙幣受取手段３３から送信される売上信号を常時監視している。
【００２２】
そして、紙幣受取手段３３から売上信号が送信され、ステップＳ１においてイエスと判定されるとステップＳ４に移行して当日売上金額データに１０００円を加算する演算を行ない、続いてステップＳ５に移行してメタル払出機３５を起動し、メタルの払い出し動作を行う。
【００２３】
続くステップＳ６においては、メタルを１枚払い出す度にメタル払出機３５が出力する計数パルス信号を受信し、計数パルスを５０個検知するまで、すなわち所定の５０枚のメタルが払い出されるのを待ってステップＳ８に移行し、メタル払出機３５を停止させる。
【００２４】
ステップＳ９においては、当日メタル払出枚数データに５０枚を加算する演算を行い、ステップＳ２に移行する。ステップＳ２においては、消去スイッチ３８が操作されたか否かを判定し、イエスと判定されたときにはステップＳ１０に移行して当日売上金額データを前日売上金額データに移し、続いてステップＳ１１に移行して当日売上金額データを消去する。
【００２５】
また、ステップＳ１２では当日メタル払出枚数データを前日メタル払出枚数データに移し、ステップＳ１３では当日メタル払出枚数データを消去し、ステップＳ３に移行する。
【００２６】
ステップＳ３においては故障が発生したか否かを判定し、ノーと判定されたときにはメインフローに直接戻り、イエスと判定されたときにはステップＳ１４に移行して故障の内容をＲＡＭの所要の領域に記憶してからメインフローに戻る。
【００２７】
なお、ステップＳ１においてノーと判定されたときにはステップＳ２に直接移行し、ステップＳ２においてノーと判定されたときにはステップＳ３に直接移行する。
【００２８】
ところで、ステップＳ２においてイエス、すなわち消去スイッチ３８が操作されたと判定されてステップＳ１０〜Ｓ１３の制御が行われるのは、主にバックアップ時間切替スイッチ３９によってバックアップ時間２４時間が選択されている場合である。
【００２９】
上記制御が行われることによって、シングルチップマイコン１１のＲＡＭには当日売上金額データ、当日メタル払出枚数データ、前日売上金額データ、前日メタル払出枚数データ、故障履歴データなどが適宜記憶され、また、ＲＡＭの記憶保持のための電源であるコンデンサ１５は満充電状態にされる。
【００３０】
そして、営業が終了し、閉店後の清算業務も終了すると、メタル貸出装置１００へ電力を供給する電源が落とされる。この電源遮断後は、シングルチップマイコン１１は低消費電力モードに移行し、ＶＣＣ端子１２への供給電圧がマイコンの持つ特性であるＲＡＭデータ保持最低電圧以上である間は、ＲＡＭの内容は正確に保持される。ＲＡＭのデータは公称のＲＡＭデータ保持最低電圧を多少下回っても保持される場合が多いので、従来例に示したような装置では各設定時間の間に電源オフ後のＶＣＣ端子１２への供給電圧が確実にデータが失われる電圧まで下がる放電特性となるように、コンデンサの容量などが決められている。
【００３１】
一方、本発明のメタル貸出装置１００の制御器１０においては、電源遮断後のＶＣＣ端子１２の電圧は、前記図３に示したように２４時間後においてもＲＡＭデータ保持最低電圧より高く保持されている。また、２４時間経過時点のＶＣＣ端子電圧のＡ／Ｄ変換値がＲＡＭデータ保持最低電圧より僅かに高い７１ポイント、４時間経過時点のＶＣＣ端子電圧のＡ／Ｄ変換値が２０７ポイントとなるように回路設計されている。
【００３２】
次に、バックアップ時間切替スイッチ３９によってバックアップ時間４時間が選択された状態で一度落とされた電源が再投入されたときの制御器１０による制御の一例を、図６に基づいて説明する。
【００３３】
電源の再投入によりシングルチップマイコン１１はイニシャルフローが起動し、ステップＳ２１においては充電制御出力１４を充電禁止状態にする。これにより、バックアップ用のコンデンサ１５は電源が再投入される直前の電圧を保持する。
【００３４】
ステップＳ２２では、バックアップ用コンデンサ１５の電圧をＡ／Ｄ変換入力により０〜２５５ポイントの値に変換して取り込み、ステップＳ２３に移行してバックアップ時間切替スイッチ３９の状態を判定する。
【００３５】
この場合、バックアップ時間は４時間が選択されているためステップＳ２７に移行し、Ａ／Ｄ変換値と２０７ポイントとの比較が行われる。
【００３６】
ステップＳ２７においてイエス、すなわち前記Ａ／Ｄ変換値が２０７ポイント以上あり、停電や装置の保守点検などで遮断された電源が４時間以内に再投入されたと判定されたときには、ＲＡＭ上のデータに変更を一切加えることなくステップＳ２６に移行し、充電制御出力１４を充電状態に切り替えてバックアップ用のコンデンサ１５の充電を図り、メインフローに移行する。
【００３７】
一方、ステップＳ２７においてノー、すなわち前記Ａ／Ｄ変換値が２０７ポイントより小さく、電源が落とされてから４時間以上が経過して再投入されたと判定されたときにはステップＳ２８に移行してさらに７１ポイントとの比較を行う。
【００３８】
そして、ステップＳ２８においてノー、すなわち前記Ａ／Ｄ変換値がＲＡＭデータ保持最低電圧より少し高い電圧に相当する７１ポイントより大きく、電源が落とされてから４時間以上は経過しているが、２４時間は経過しない内に電源が再投入されたと判定されたとき、例えば前日の閉店後の清算業務終了時に電源が落とされ、１２時間後の翌朝に開店するときなどは、ステップＳ２９に移行して当日売上金額データを前日売上金額データに移し替え、続くステップＳ３０においては当日売上金額データを消去する。
【００３９】
さらに、ステップＳ３１においては当日メタル払出枚数データを前日メタル払出枚数データに移し替え、続くステップＳ３２においては当日メタル払出枚数データを消去する。
【００４０】
一方、前記ステップＳ２８においてイエス、すなわち前記Ａ／Ｄ変換値が７１ポイントより小さく、電源が落とされてから２４時間以上が経過して電源が再投入され、ＲＡＭ上のデータが化けた可能性があると判定されたときには、ステップＳ２５に移行してＲＡＭ上の全てのデータを消去し、その後ステップＳ２６を経てメインフローに移行する。
【００４１】
また、前記ステップＳ２３における判定でバックアップ時間として２４時間が選択されていると判定されたときには、ステップＳ２４に移行して前記Ａ／Ｄ変換値が７１ポイント以上であるか否かを判定し、イエスと判定されたとき、すなわち電源が落とされてから２４時間以内に再投入されたと判定されたときにはステップＳ２６に直接移行し、ノーと判定されたとき、すなわち電源が落とされてから２４時間以上が経過して電源が再投入されたと判定されたときにはステップＳ２５に移行してＲＡＭ上の当日売上金額データ、前日売上金額データ、故障履歴データなどの全てのデータを消去し、その後ステップＳ２６を経てメインフローに移行する。
【００４２】
上記制御が行われることによって、シングルチップマイコン１１のＲＡＭに記憶された当日売上金額データ、当日メタル払出枚数データ、前日売上金額データ、前日メタル払出枚数データ、故障履歴データなどの全てのデータが、停電などの短時間の電源遮断では完全に保持される。
【００４３】
一方、翌朝の開店時までの長時間の電源遮断によって、故障履歴などの長期に保管する必要があるデータ以外のデータ、すなわち当日メタル払出枚数データ、前日売上金額データ、前日メタル払出枚数データ、故障履歴データなどは自動的に消去されるので、データ管理が極めて簡単になる。
【００４４】
なお、電源を再投入する時のバックアップ用コンデンサ１５の電圧の読み取り結果だけに基づいてＲＡＭデータの消去制御を行っているが、これに加えてチェックサム比較方式のメモリーチェックを併用しても良いことは云うまでもない。
【００４５】
また、本発明の遊技媒体貸出装置はパチンコ遊技機で使用するパチンコ玉を貸し出す装置などとすることも可能である。
【００４６】
【発明の効果】
以上説明したように本発明の装置によれば、制御器に記憶した当日売上金額データ、前日売上金額データ、故障履歴データなどの全てのデータは、停電やメンテナンスなどを行うときの比較的短時間の電源遮断では一切消去されず、閉店から翌朝の開店までの比較的長い電源遮断では長期に保存したいデータ、例えば故障履歴を除く当日売上金額データ、前日売上金額データなどの他のデータが選択的に消去されるので、データ管理が極めて簡単になった。
【図面の簡単な説明】
【図１】装置の電気的構成を示す説明図である。
【図２】制御器の構成を示す説明図である。
【図３】バックアップ用コンデンサの放電特性を示す説明図である。
【図４】ＲＡＭに記憶するデータを示す説明図である。
【図５】通電時における制御例を示す説明図である。
【図６】電源を再投入したときの制御例を示す説明図である。
【図７】メタル貸出装置の全体の構成を示す説明図である。
【図８】従来技術の制御器の構成を示す説明図である。
【図９】従来技術のバックアップ用コンデンサの放電特性を示す説明図である。
【符号の説明】
１０  制御器
１１  シングルチップマイコン
１２  ＶＣＣ端子
１３  Ａ／Ｄ変換入力端子
１４  充電制御出力
１５  コンデンサ
１６  放電抵抗
１７  トランジスタ
３１  紙幣受取口
３２  メタル払出口
３３  紙幣受取手段
３４  金庫
３５  メタル払出機
３６  表示器
３７  売上表示スイッチ
３８  消去スイッチ
３９  バックアップ時間切替スイッチ
１００  メタル貸出装置
【図１】
0004387483.tif 000002
【図２】
0004387483.tif 000003
【図３】
0004387483.tif 000004
【図４】
0004387483.tif 000005
【図５】
0004387483.tif 000006
【図６】
0004387483.tif 000007
【図７】
0004387483.tif 000008
【図８】
0004387483.tif 000009
【図９】
0004387483.tif 000010